(57)【特許請求の範囲】
【請求項１】
入賞球検出スイッチから入力された信号に基づいて賞球払出数コマンドの送信を行なう主制御部と、前記主制御部からの賞球払出数コマンドに応じて賞球払出装置の制御を行なう払出制御部と、前記賞球払出装置から賞球が払い出されたかを検出する賞球払出済球検出スイッチと、電源を供給しバックアップ手段を設けた電源部と、を備え、
賞球払出済球検出スイッチの信号を主制御部及び払出制御部に入力し、
払出制御部は、停電等の電源断時に前記バックアップ手段によりメモリに記憶された払出残数を前記電源の復帰まで記憶可能であり、電源断復帰時に前記払出残数に基づく賞球の払出を行ない、この払出に伴い賞球払出済検出スイッチが球を検出する毎に前記払出残数を減算し、この払出残数が０になるまで払出を行ない、
主制御部は、電源断復帰時に前記払出残数に基づいて賞球の払出を行なうバックアップ処理が終了していないことを確認し、更に賞球払出済球検出スイッチの信号状態を監視して払出が行なわれていることを確認した場合に、賞球残数払出であることを外部に報知する制御を行ない、バックアップ処理が終了していない期間中であっても、入賞球検出スイッチが入賞球を検出すると、払出制御部へ賞球払出数コマンドを送信し、
また、主制御部は、電源断復帰時に前記払出残数に基づいて賞球の払出を行なうバックアップ処理が終了していないことを確認し、最後に賞球払出数コマンドを送信してから所定時間経過した場合に、外部報知終了の制御を行なうと共に、前記電源断復帰時に前記払出残数に基づいて賞球の払出を行なう前記バックアップ処理が終了である旨の処理を行ない、
前記主制御部による外部報知制御に基づき前記電源断復帰時に前記払出残数に基づいて賞球の払出を行なう前記バックアップ処理を実行中である旨を、報知する報知手段を設けたことを特徴とする遊技機。
【請求項２】
前記電源断復帰時に前記払出残数に基づいて賞球の払出を行なう前記バックアップ処理を実行する際、主制御部から報知手段へ向けてコマンドを送信して、前記電源断復帰時に前記払出残数に基づいて賞球の払出を行なう前記バックアップ処理を実行中である旨を報知するようにした請求項１に記載の遊技機。
【請求項３】
報知手段を、ランプを制御するランプ制御部、図柄表示装置を制御する図柄表示制御部、スピーカを制御する音声制御部の内の少なくとも１つで構成し、視覚及び／又は聴覚によって報知するようにした請求項１又は２に記載の遊技機。
【発明の詳細な説明】
【０００１】
【発明の属する技術分野】
この発明は、パチンコ機やスロットマシン等の遊技機に関し、詳しくは、停電等による電源断に対するバックアップ機能を有する遊技機に関するものである。
【０００２】
【従来の技術】
パチンコ機やスロットマシン等に代表される遊技機は、遊技の制御を司る主制御基板と、この主制御基板から出力されるコマンドに基づいて諸装置を制御する副制御基板とを備えている。例えば、パチンコ機では、主にパチンコ遊技に関する制御、即ち可変表示装置や変動入賞装置等、遊技盤側に設けられて遊技の進行に直接関連する諸装置の制御を行なう遊技盤制御基板と、パチンコ機本体側に設けられた賞球払出装置や打球発射装置等の制御を主に行なう枠制御基板とを備えており、更に可変表示装置や変動入賞装置等を夫々表示制御基板や入賞装置制御基板等で専用に制御するように副制御基板を更に細分化したものもある。
一方、停電等による電源断によって、遊技中の遊技者が不利益を被らないように、電源のバックアップ装置を備える遊技機がある。即ち、賞球或いはコインの払出中に、電源断が発生すると、払い出す賞球数やコインの枚数を記憶した揮発性メモリがクリアされてしまうので、以後の払出がキャンセルされてしまい、遊技者が獲得可能な賞球やコインが減ってしまう。
そこで、払い出す賞球数やコインの枚数を記憶する揮発性メモリに電源断中に給電して記憶を保持するするようにしたバックアップ電源を備える遊技機が提案されている。
【０００３】
【発明が解決しようとする課題】
そして、上記バックアップ電源を備える遊技機においては、電源断が復旧した後、メモリの記憶に基づいて賞球やコインの払出が再開される。
一方、入賞球や当りが発生していないにも拘らず、不正行為を働いて不正に賞球やコインを獲得する不正遊技が横行している。
これは、電源断する前の記憶に基づく賞球やコインを払出なのか、不正行為による払出なのか、区別が付かないことに起因している。
本発明は上記に鑑み提案されたもので、メモリのバックアップ手段を備える遊技機において、記憶に基づく払出か、不正遊技による払出か、容易に判別可能で、不正遊技を防止することのできる遊技機を提供することを目的とする。
【０００４】
【課題を解決するための手段】
上記目的を達成するため請求項１に記載した発明は、入賞球検出スイッチから入力された信号に基づいて賞球払出数コマンドの送信を行なう主制御部と、前記主制御部からの賞球払出数コマンドに応じて賞球払出装置の制御を行なう払出制御部と、前記賞球払出装置から賞球が払い出されたかを検出する賞球払出済球検出スイッチと、電源を供給しバックアップ手段を設けた電源部と、を備え、賞球払出済球検出スイッチの信号を主制御部及び払出制御部に入力し、払出制御部は、停電等の電源断時に前記バックアップ手段によりメモリに記憶された払出残数を前記電源の復帰まで記憶可能であり、電源断復帰時に前記払出残数に基づく賞球の払出を行ない、この払出に伴い賞球払出済検出スイッチが球を検出する毎に前記払出残数を減算し、この払出残数が０になるまで払出を行ない、主制御部は、電源断復帰時に前記払出残数に基づいて賞球の払出を行なうバックアップ処理が終了していないことを確認し、更に賞球払出済球検出スイッチの信号状態を監視して払出が行なわれていることを確認した場合に、賞球残数払出であることを外部に報知する制御を行ない、バックアップ処理が終了していない期間中であっても、入賞球検出スイッチが入賞球を検出すると、払出制御部へ賞球払出数コマンドを送信し、また、主制御部は、電源断復帰時に前記払出残数に基づいて賞球の払出を行なうバックアップ処理が終了していないことを確認し、最後に賞球払出数コマンドを送信してから所定時間経過した場合に、外部報知終了の制御を行なうと共に、前記電源断復帰時に前記払出残数に基づいて賞球の払出を行なう前記バックアップ処理が終了である旨の処理を行ない、前記主制御部による外部報知制御に基づき前記電源断復帰時に前記払出残数に基づいて賞球の払出を行なう前記バックアップ処理を実行中である旨を、報知する報知手段を設けた遊技機である。
請求項２に記載した発明は、請求項１の構成に加えて、前記電源断復帰時に前記払出残数に基づいて賞球の払出を行なう前記バックアップ処理を実行する際、主制御部から報知手段へ向けてコマンドを送信して、前記電源断復帰時に前記払出残数に基づいて賞球の払出を行なう前記バックアップ処理を実行中である旨を報知するようにした遊技機である。
請求項３に記載した発明は、請求項１または２の構成に加えて、報知手段を、ランプを制御するランプ制御部、図柄表示装置を制御する図柄表示制御部、スピーカを制御する音声制御部の内の少なくとも１つで構成し、視覚及び／又は聴覚によって報知するようにした遊技機である。
【０００５】
【発明の実施の形態】
以下、本発明を図面の実施形態について説明する。図１は遊技機としてのパチンコ機１の概略正面図である。パチンコ機１は、遊技者が弾発した遊技球が遊技部の入賞口へ入賞し、この球を入賞口に設けた球検出スイッチで検出し、入賞球の検出信号に基づいて賞球払出装置が所定数の賞球を遊技者に払い出すことを遊技の基本としており、図柄始動口１１や図柄表示装置１２、或いは大入賞口１３等は遊技の興趣を高めるためのものである。
【０００６】
上記のようなパチンコ機１の制御は、例えば、図２に示すように、主制御部（基板）２と、この主制御基板２に接続された図柄表示制御基板３２、音声制御基板３３、ランプ制御基板３４及び払出制御基板３１等の副制御部（基板）３とによって行なわれる。即ち、各種始動口スイッチからの信号が主制御基板２に入力され、主制御基板２は入力された信号に基づいてゲーム処理を実行し、各副制御基板３に対して制御コマンドを送信し、コマンドを受信した各副制御基板３が、夫々に接続されている諸装置を制御する。
【０００７】
例えば、始動口スイッチが球を検出すると、検出信号が主制御基板２へ入力される。検出信号が入力された主制御基板２は、この検出信号に基づいて図柄表示制御基板３２へ図柄表示を行なうコマンドを送信する。図柄表示制御基板３２は、受信したコマンドに基づいて対応する図柄を表示すべく図柄表示装置１２を制御する。また、入賞口に臨ませた入賞球検出スイッチ２１が入賞球を検出すると、上記と同様にして、主制御基板２が払出制御基板３１へ制御コマンドを送信し、払出制御基板３１は上記コマンドに基づいて賞球払出装置１６を制御し、賞球払出装置１６が所定数の賞球を遊技者に払い出す。更に、音声制御基板３３やランプ制御基板３４も、上記と同様に、主制御基板２から送信される制御コマンドに基づいて、遊技状態に応じて表示灯１５を点灯させたり、効果音をスピーカ１４から発声させる。
【０００８】
このように主制御基板２は、ゲーム処理を実行して、各副制御基板３を制御している。そして、主制御基板２は、ゲーム処理の結果として大当りになったときに、大入賞口ソレノイド１３１を駆動して大入賞口１３を開放させて、入賞し易い状態にする。
【０００９】
尚、発射制御基板３５は払出制御基板３１と連係して発射ソレノイド３６を制御する。また主制御基板２からは、図外のホールコンピュータへ向けて、大当り情報、特別図柄作動回数情報、図柄始動口スイッチ入賞情報、賞球情報、補給要求情報等が出力される。
【００１０】
一方、電源モジュール（基板）４１は、島設備から供給されるＡＣ２４Ｖの電源を整流・定電圧化して、諸電気機器に適した電源を供給する。即ち、電源基板４１からは、ＤＣ２４ＶＲＭＳ、ＤＣ１２Ｖ−Ａ、ＤＣ１２Ｖ−Ｂ、ＤＣ５Ｖ、ＰＤＷＮ、ＶＢＡＣＫＵＰ、ＧＮＤの出力線が出ており、主制御基板２には、ＤＣ１２Ｖ−Ａ、ＤＣ１２Ｖ−Ｂ、ＤＣ５Ｖの電源電圧が供給され、払出制御基板３１には、ＤＣ１２Ｖ−Ａ、ＤＣ１２Ｖ−Ｂ、ＤＣ５Ｖ、ＰＤＷＮ、ＶＢＡＣＫＵＰの電源電圧が供給され、図柄表示制御基板３２と音声制御基板３３へはＤＣ１２Ｖ−Ａの電源電圧が供給され、発射制御基板３５にはＤＣ２４ＶＲＭＳ、ＤＣ１２Ｖ−Ａ、ＤＣ５Ｖの電源電圧が供給される。そして、図示の実施形態では、その出力線が中継基板４２を介して各制御基板に接続されている。
【００１１】
また、図示の実施形態では、プリペイドカードによる貸玉を可能にするカードユニット４３が併設され、このカードユニット４３に供給するためのＡＣ２４Ｖを電源基板４１で中継している。
【００１２】
このように、中継基板４２を介して接続すると、電源基板４１からの出力を必要な数に分岐することができ、電源基板４１を機種に関わりなく共通化することができ、また電源基板４１に設ける出力端子の数を減らすことができる。
【００１３】
電源基板４１は、例えば、図３に示すように構成されている。即ち、電源基板４１の筐体（図示せず）には、商用電源ＡＣ２４Ｖ（５０／６０Ｈｚ）が入力される電源プラグ２００から電源線２０２Ａ、２０２Ｂが接続される端子２０４Ａ、２０４Ｂと、電源基板４１の筐体をアースするための端子２０４Ｃが設けられている。尚、商用電源は、通常１００Ｖ／５０Ｈｚ或いは１００Ｖ／６０Ｈｚであるが、図示しない島側に設けられたトランス等により２４Ｖに降圧されている。また、端子２０４Ｃには、サージアブソーバ２０５が接続されている。サージアブソーバ２０５は、電源基板４１のグランドレベルがフレームグランドに対してある程度大きくなった場合、グランドの電荷をフレームグランドに放電するためのものである。これにより、グランドレベルの頻繁な変動を抑えることができ、静電気等に対するノイズ耐性を向上することができる。
【００１４】
端子２０４Ａ、２０４Ｂは連絡線２０６、２０７によって端子２０４Ｄ、２０４Ｅに接続されており、この端子２０４Ｄ、２０４Ｅには、前記プリペイドカーユニツト４３が接続されている。尚、連絡線２０６側には、ヒューズ２０８が介在されている。
【００１５】
端子２０４Ａ、２０４Ｂに接続される電源線２０２Ａ、２０２Ｂは、夫々全波整流回路２１０に接続されている（電源線２０２Ａには、過電流保護回路２０９が介在される）。
【００１６】
過電流保護回路２０９は、電源基板４１を過電流から保護する目的で設けられている。
【００１７】
全波整流回路２１０は、４個ダイオードで構成されたブリッジ回路で構成されており、交流電源が直流電源に変換される。従つて、全波整流回路２１０の出力は電源線２１２とアース線２１４とになる。
【００１８】
電源線２１２は分割され、一方は過電流保護回路２１８を介して端子２０４Ｆ（ＤＣ２４ＶＲＭＳ）に接続されている。この過電流保護回路２１８は、ランプ制御基板３４や発射制御基板３５、或いは電子部品等を過電流から保護することが目的である。
【００１９】
また、電源線２１２の他方は、ダイオードと電解コンデンサで構成される平滑回路２２０を介してＤＣ１２Ｖ−Ａレギュレータ２２２と、ＤＣ１２Ｖ−Ｂレギュレータ２２３と、ＤＣ５Ｖレギュレータ２２４と、第１電源断検出回路２２６と、第２電源断検出回路２２７に夫々入力されている。尚、ＤＣ１２Ｖ−Ａレギュレータ２２２とＤＣ１２Ｖ−Ｂレギュレータ２２３とＤＣ５Ｖレギュレータ２２４には、図示していない過電流保護回路が夫々内蔵されている。
【００２０】
このＤＣ１２Ｖ−Ａレギュレータ２２２の出力端は端子２０４Ｇ（ＤＣ１２Ｖ−Ａ）に接続され、ＤＣ１２Ｖ−Ｂレギュレータ２２３の出力端は端子２０４Ｈ（ＤＣ１２Ｖ−Ｂ）に接続され、ＤＣ５Ｖレギュレータ２２４の出力端は端子２０４Ｉ（ＤＣ５Ｖ）に接続されている。
【００２１】
また、第１電源断検出回路２２６は、入力電圧が所定値Ｖ１まで下がった時点でローレベル信号を出力する回路であり、出力停止信号としてＤＣ１２Ｖ−Ａレギュレータ２２２へ入力されている。
【００２２】
第２電源断検出回路２２７は、入力電圧が所定値Ｖ２（Ｖ２＜Ｖ１）まで下がった時点でローレベル信号を出力する回路であり、端子２０４Ｊ（ＰＤＷＮ）に接続されている。また、この第２電源断検出回路２２７の出力線は分岐されて、遅延回路２２９の入力側に接続されている。この遅延回路２２９の出力側は、前記ＤＣ５Ｖレギュレータ２２４に出力停止信号として入力されるようになっている。
【００２３】
また、ＤＣ５Ｖレギュレータ２２４は出力端において分岐されており、ショツトキーダイオード２２８を介してバツクアップ電源として適用される電気二重層コンデンサ２３０の一端に接続されている。尚、蓄電用コンデンサとして機能するものであれば、電気二重層コンデンサ２３０の代わりに電解コンデンサであつてもよい。
【００２４】
ショツトキーダイオード２２８は、５Ｖ電源が復帰するときにＤＣ５Ｖ電源からの電流を電気二重層コンデンサ２３０に供給し、５Ｖ電源断時に電気二重層コンデンサ２３０からＤＣ５Ｖ端子に電流を逆流させないために設けたものである。
【００２５】
前記電気二重層コンデンサ２３０の他端はアースされている。電気二重層コンデンサ２３０の一端側、すなわちプラス側は端子２０４Ｋ（ＶＢＡＣＫＵＰ）に接続されている。尚、端子２０４Ｌ（ＧＮＤ）はアースされている。
【００２６】
また、端子２０４Ｋには、放電抵抗２３２が接続され、かつアースされている。これは、電気二重層コンデンサ２３０で蓄えられた電荷を放電するために設けられている。即ち、一般的にＲＡＭの保持電流が少なくバラツキも大きいので、バックアップ時間の算出が難しい。そこで、ＲＡＭの保持電流を無視できる程度の大きな放電電流値になるようにこの放電抵抗２３２を設定することで、バックアップ時間の算出を容易にしている。尚、図３に二点鎖線で示すように、放電抵抗２３４とスイッチ２３６とが直列接続された回路を、前記放電抵抗２３２に並設し、強制的にバックアップを解除したいときにスイッチ２３６をオンし、放電抵抗２３４によって迅速に放電させるようにしてもよい。また、放電抵抗２３４は強制的にバックアップを解除させる用途で使用されることから、放電電流値が大きくなるような抵抗値に設定することが必要である。尚、放電抵抗２３４を介さずにスイッチ２３６のみで放電させる構成でもよい。
【００２７】
ＤＣ１２Ｖ−Ａレギュレータ２２２は、平滑回路２２０から入力される直流電源から安定化したＤＣ１２Ｖを生成するものである。この出力電源は、賞球ソレノイド１６３などスイッチ以外の一般的に消費電力が大きい大電力電子部品の電源として使用される。
【００２８】
また、このＤＣ１２Ｖ−Ａレギュレータ２２２は、第１電源断検出回路２２６からの出力停止信号により、強制的に出力が停止されるようになっている。
【００２９】
これは、電源断時に消費電力の大きい電源系統を即時に出力停止とすることで、他の電源系統（ＤＣ１２Ｖ−Ｂ及びＤＣ５Ｖ）を長い時間維持するためである。これにより、平滑回路２２０を小型共通化することが可能となる。
【００３０】
また、賞球ソレノイド電源として使用される電源を、電源断時に即時に停止させることで、賞球ソレノイド１６３の駆動停止から賞球払出済球検出スイッチ１６２の電源（ＤＣ１２Ｖ−Ｂ）や制御基板電源（ＤＣ５Ｖ）の補償電圧の維持時間に求められる性能を緩和することができ、電源基板４１の安価な構成が可能となる。
【００３１】
ＤＣ１２Ｖ−Ｂレギュレータ２２３は、賞球払出済球検出スイッチ１６２等のスイッチ専用電源として使用され、消費電力が比較的小さい、小電力電気部品専用である。
【００３２】
次に、ＤＣ５Ｖレギュレータ２２４は、制御部を構成するＩＣ等の制御用電源として使用されるものであり、バックアップ電源蓄電用の電気二重層コンデンサ２３０の充電にも使用される。
【００３３】
このＤＣ５Ｖレギュレータ２２４には、前述のように遅延回路２２９から出力停止信号を受けるようになっており、第２電源断検出回路２２７が電源断を検出した時点で、所定時間遅延させた後強制的に出力が停止される構成となっている。尚、所定時間は、主制御基板２及び払出制御基板３１における払出残数の記憶等のバックアップ処理に必要な時間である。これにより、前記ＤＣ１２Ｖ−Ｂが動作可能な時間の維持、正確な賞球払出済球検出スイッチ１６２による検出処理が可能となる。
【００３４】
上記構成の電源制御回路では、停電になると、まず、第２の電源断検出回路２２７によつて電圧低下を検出し、主制御基板２及び払出制御基板３１へ報知する。このときの電源電圧は各制御基板が動作可能な状態であるため、各制御基板は予め定められた電源断処理を実行する。
【００３５】
本実施の形態では、上記電源断処理は、停電復帰後に停電直前の状態になるための処理が実行される。このとき、必ず記憶しておかなければならない情報があるため、これらの情報は、払出制御基板３１上のＩＣのＲＡＭに格納しておく。このＲＡＭは、停電中に電気二重層コンデンサ２３０から供給される電源電圧（約４．５Ｖ）によって、記憶状態を維持することができるため、前記情報を停電復帰後まで保持しておくことができる。
【００３６】
次に、賞球の払出について説明する。図４は、図２に示すパチンコ機の制御系の概略ブロック図を賞球制御装置についてまとめた概念図である。入賞球検出スイッチ２１は、賞球制御装置５の入賞球演算部５１に接続され、入賞球演算部５１では各入賞球検出スイッチ２１毎に払い出す払出数が定められている。例えば、始動口は５個、一般入賞口は１０個、大入賞口１３は１５個というように入賞口によって賞球の払出数が異なる。
【００３７】
入賞球演算部５１は、賞球払出残数計数部５２に接続され、演算結果を賞球払出残数計数部５２に送出している。賞球払出残数計数部５２では、送られてくる球数を加算すると共に、この加算値をメモリ５９に記憶する。
【００３８】
賞球払出残数計数部５２には、賞球払出指示部５３が接続され、賞球払出残数計数値（即ち払出残数）が「０」以外のとき、賞球払出指示部５３へ払出要求を送信する。賞球払出指示部５３では、払出要求に基づいて、賞球払出装置１６を制御して要求された数の賞球を払い出す。
【００３９】
賞球払出装置１６の賞球通路１６１には、確実に賞球が払い出されたかを検出するためのセンサ、賞球払出済球検出スイッチ１６２が設けられている。この賞球払出済球検出スイッチ１６２は、賞球制御装置５の賞球払出登録部５４に接続されている。この賞球払出登録部５４では、賞球払出済球検出スイッチ１６２が球を検出する毎に、賞球払出残数計数部５２へパルス信号を送出する。賞球払出残数計数部５２では、賞球払出登録部５４から送られる１パルスに対して残数を「１」減算する。
【００４０】
この結果、賞球払出残数計数部５２では、入賞する毎に残数は加算され、払い出される毎に残数が減算され、短期間に入賞が連続しても、確実に正確な払い出しを行なうことができる。
【００４１】
そして、この実施形態では、賞球払出残数計数部５２に、賞球制御装置５に供給される動作電源電圧と同等の電圧を保持するバックアップ部５５が接続されている。このバックアップ部５５は、通常時に電荷を蓄えることが可能な充電機能を有しており、電源断が発生したときには、このバックアップ部５５からの電源電圧で前記賞球払出残数計数部５２のメモリ５９に記憶された払出残数を記憶保持しておくことができるようになっている。そして、電源断が復旧した後、電源断直前の状態から動作が行なわれる。従って、電源断によって払出残数が消去されて、遊技者が不利益を被ることがない。
【００４２】
具体的には、図５のフローチャートに示すようにしてバックアップが行なわれる。先ず、停電が発生すると、Ｓ６００で、最先に賞球払出装置１６の賞球ソレノイド１６３への電源を断ち、非励磁状態とする。これにより、ストッパ部材１６４が付勢バネ１６５の作用により賞球通路１６１を閉鎖し、賞球の払出が停止される。
【００４３】
次に、Ｓ６０２，Ｓ６０４，Ｓ６０６において、払出球の検出を所定時間維持する。これは、賞球ソレノイド１６３の動作と、払い出される球の位置関係で、最後に払い出される球まで正確に検出するためのものであり、賞球ソレノイド１６３への通電が断たれた後も、賞球払出済球検出スイッチ１６２並びに払出制御基板３１を正常に動作させることで、正確な検出を可能にする。
【００４４】
Ｓ６０６で、所定時間が経過したと判断されると、Ｓ６０８へ移行して、最終的な払出残数をメモリ５９に記憶する、このメモリ５９は、バックアップ部５５からのバックアップ電源によって常に電圧が確保されるため、払出残数記憶データを確実に保存しておくことができる。
【００４５】
一方、払出残数の記憶後は、リセット待ちとする。即ち、上記制御は、停電直後の電圧低下過程において、賞球制御装置５等が動作可能な電圧を維持している間に処理されるものであり、時間の経過と共、電圧の降下が進み、最終的には電源電圧「０」の状態となる。しかし、上記のように、払出残数のみは、バックアップ電源により充分な時間保持することができる。
【００４６】
電源復帰後は、リセットが掛り、賞球制御装置５は、通常の電源投入時と同様に立ち上がる。即ち、停電は何時起こるか解らないため、賞球制御装置５のメインプログラムを確実に断ち上げるためにリセットを掛ける。これにより、プログラムの暴走が防止され、賞球制御装置５が確実に復帰する。
【００４７】
復帰後は、賞球払出残数計数部５２に記憶された払出残数の読み出しから始まり、残数があれば、復帰後、直ちに賞球の払出を開始し、停電前に入賞して賞球が払い出されなかった球を正確に遊技者に払い出すことができる。また、電源復帰後、遊技を再開して、入賞球が発生しても、記憶した払出残数に加算されるため、停電による不具合を、遊技者にも、パチンコ店にも、一切掛けることがない。
【００４８】
そして、本発明では、バックアップ処理に基づいて賞球の払出を実行していることを報知する報知手段を設けている。即ち、バックアップから復帰処理を行なうときに、ランプ、音、画像等により遊技者及びホール従業員に、バックアップに基づく賞球の払出である旨を報知するのである。例えば、本体や遊技盤に設けたランプ或いはＬＥＤ等を点灯、点滅させて視覚により報知する。また、図柄表示装置に、「景品球払出中」等のメッセージ表示を行ない、更に、「景品球払出中、残り＊＊発」等のバックパップ景品球数を表示してもよい。一方、スピーカ等の音声出力装置からアナウンスを行ない、聴覚に訴えるようにすることもできる。
【００４９】
このためには、バックアップ復帰処理時に、主制御基板２から、ランプ制御基板３４、音声制御基板３３、図柄表示制御基板３２等へ、バックアップ復帰動作による払出中である旨を報知するためのコマンドを送信すればよい。
【００５０】
具体的には、例えば、図６及び図７に示すフローチャート並びに図８に示すタイミングチャートのように制御する。先ず、Ｓ１００で、プログラムのスタートが電源投入または電源復帰によるものか、周期的リセット信号によるものか判断し、周期的リセット信号によるプログラムスタートならばＳ１０１へ移行する。一方、電源投入によるスタートならば、Ｓ１３０へ移行して初期化処理を行なう。この初期化処理は、電源投入時に１回のみ実行され、この結果、以後は周期的リセット信号によるプログラムスタートと判断されるようになる。
【００５１】
Ｓ１０１では、一般遊技処理を実行する。この一般遊技処理から移行するＳ１０２〜１０４では、入賞球による賞球数コマンドの送信処理と賞球残数カウンタへの加算処理を行なう。尚、賞球が可能であるか否かに拘らず、賞球数コマンドを払出制御基板３１に送信して、払出制御基板３１において賞球のバックアップを可能にしている。
【００５２】
Ｓ１０２では、入賞球が有るか否かを判断し、入賞球がない場合は、Ｓ１０５へ移行し、入賞球が有る場合には、Ｓ１０３へ移行し、入賞球に対する賞球数の指示である賞球数コマンドを、払出制御基板３１に送信する。そして、Ｓ１０４では、送信された賞球払出数コマンドの賞球払出数をＲＡＭに設けられた賞球払出残数カウンタに加算する。尚、この賞球払出残数カウンタは、これから払い出されるべき賞球払出数を示すものであり、賞球払出数コマンドの送信によって指示した賞球数が払出制御基板３１によって正確に払い出されたかどうかの賞球払出結果に対するエラー確認を行なうために使用している。
【００５３】
Ｓ１０５〜１０８では、賞球の払出が可能で有るか否かが判断され、賞球許可コマンド、或いは賞球禁止コマンドが払出制御基板３１へ送信される。即ち、Ｓ１０５では、賞球払出の可能／不能の状態が変化したかを判断する。これは状態の変化点のみでコマンドを送信するためである。賞球払出の可能／不能の判断は、準備球スイッチとオーバーフロースイッチにより行なわれ、賞球払出用の準備球が有り、且つオーバーフローしていなければ、賞球払出可能と判断し、それ以外を賞球払出不能と判断する。
【００５４】
賞球払出の可能／不能の状態が変化していない場合は、Ｓ１０９へ移行して、状態が変化している場合はＳ１０６へ移行し、Ｓ１０５による判定で賞球払出が可能状態であるか否かを判断する。賞球払出が可能であれば、Ｓ１０７へ移行し、賞球払出許可コマンドを送信して、Ｓ１０９へ移行する。賞球払出が可能でなければＳ１０８へ移行して、賞球払出禁止コマンドを送信して、Ｓ１０９へ移行する。
【００５５】
Ｓ１０９並びにＳ１１８〜１２３及びＳ１４０の処理は、払出制御基板３１におけるバックアップ処理（賞球払出残数に基づく払出）の確認を行なうステップである。先ず、Ｓ１０９では、バックアップ処理が終了したか否かをＲＡＭのバックアップ処理終了フラグの特定コードの有無で判断し、特定コードがある場合はバックアップが終了していると判断して、Ｓ１１０へ移行し、賞球払出結果に対するエラー確認処理を行なう。
【００５６】
特定コードがない場合は、バックアップが終了していないと判断して、Ｓ１１８へ移行し、バックアップ終了確認を行なう。
【００５７】
Ｓ１１８では、賞球許可状態であるか否かを確認し、賞球許可状態でない場合は、周期的リセット信号待ちとなる。これは、賞球許可状態でない場合には、賞球払出が行なわれないので、バックアップ処理終了確認を行えないためである。
【００５８】
賞球払出許可状態の場合は、Ｓ１１９へ移行して賞球払出済球検出スイッチ１６２の信号状態が３秒以上変化無しか否かを判断する。賞球払出済球検出スイッチ１６２の信号状態に変化がある場合には、バックアップ処理中（賞球残数の払出中）と判断し、Ｓ１４０へ移行する。Ｓ１４０では、外部に賞球残数払出であることを報知するためのコマンドを外部報知装置制御基板（例えば、図柄表示制御基板３２、音声制御基板３３、ランプ制御基板３４等）へ送信し、周期的リセット待ちとなる。賞球払出済球検出スイッチ１６２の信号の変化が３秒以上ない場合は、Ｓ１２０へ移行して、最後に賞球払出数コマンドを送信してから３秒以上経過している場合は、バックアップ処理が終了したと判断して、Ｓ１２１へ移行する。
【００５９】
Ｓ１２１では、賞球払出残数カウンタをクリアし、Ｓ１２２へ移行する。Ｓ１２２では、賞球残数の払出が終了したことを外部に報知するためのコマンドを外部報知装置制御基板へ送信する。このコマンドを送信後、Ｓ１２３へ移行し、バックアップ処理が終了したことを記憶するため、ＲＡＭのバックアップ終了フラグに特定コードを書き込む。
【００６０】
Ｓ１１９と、Ｓ１２０によるバックアップ終了確認方法は、賞球のバックアップを払出制御基板３１で行なうことにより、主制御基板２がバックアップされた賞球残数値を把握できないためである。
【００６１】
Ｓ１２０の処理は、遊技者に不快感を与えないためにバックアップ処理の終了を待たずに、発射及び一般遊技処理を行なう構成とするために設けられたステップであり、Ｓ１１９のみでバックアップ処理終了判断を行なって賞球払出残数カウンタをクリアした場合、Ｓ１０３での賞球払出数コマンド送信とのタイミングによっては、賞球払出数コマンド分のマイナスカウントを行なってしまうという不具合を防止することを目的としている。
【００６２】
Ｓ１１０〜１１７の処理では、賞球払出結果に対するエラー確認処理を行なう。Ｓ１１０では、賞球払出球の検出を行ない、賞球払出球を検出した場合には、Ｓ１１１へ移行し、賞球払出球を検出しない場合は、Ｓ１１５へ移行する。Ｓ１１１では、賞球払出残数カウンタ値を減算し、Ｓ１１２では、賞球払出残数カウンタ値により賞球を払い出し過ぎたかの賞球超過エラー確認を行なう。
【００６３】
賞球払出残数カウンタ値が「−５０」を越えた場合には、賞球超過エラーと判断し、Ｓ１１１３へ移行して賞球禁止コマンドを送信する。その後、Ｓ１１４において賞球払出結果に対するエラーがあったことを、表示や音声によって遊技者或いはパチンコ店の従業員に報知する。
【００６４】
一方、Ｓ１１２において、賞球払出残数カウンタ値が「−５０」を超えない場合は周期的リセット信号待ちとなる。
【００６５】
Ｓ１１５〜１１７の一連の処理は、賞球払出コマンドによる賞球数指示分の賞球が払い出されないという賞球障害エラーを確認する処理である。即ち、Ｓ１１５では、賞球許可状態であるか否かを確認し、賞球許可状態でない場合は、周期的リセット待ちとなる。これは、賞球許可状態でない場合には、賞球払出が行なわれないので、賞球障害エラーと判断されないためである。
【００６６】
賞球許可状態の場合は、Ｓ１１６へ移行し、賞球残数カウンタ値の確認を行なう。カウンタ値が「５０」以下の場合には、周期的リセット待ちとなり、「５０」を越えた場合は、Ｓ１１７へ移行する。
【００６７】
Ｓ１１７では、賞球払出済球検出スイッチ１６２の信号状態が３秒以上変化無しか否かを判断する。賞球払出済球検出スイッチ１６２の信号状態の変化がある場合は、賞球障害エラーでないと判断し、周期的リセット待ちとなる。
【００６８】
一方、賞球払出済球検出スイッチ１６２の信号変化が３秒以上ない場合は、賞球障害エラーと判断し、賞球超過エラーと同様に、Ｓ１１３へ移行して、賞球禁止コマンドを送信後、Ｓ１１４において、賞球払出結果に対するエラーがあったことを、表示や音声によって、遊技者或いはパチンコ店に報知する。
【００６９】
Ｓ１１２及びＳ１１６において、賞球払出残数カウンタ値に幅を持たせたのは、ノイズ等による主制御基板２と払出制御基板３１のカウント誤差により、頻繁に賞球エラーが発生することを防止するためである。
【００７０】
上記のようにすれば、賞球を払い出している途中で停電が起こって、賞球の払出が中断され、復帰後に払出を再開しているときは、復帰後の賞球払出中である旨を、外部に報知可能である。一方、不正遊技による賞球の払出では、バックアップによって賞球を払い出している旨の報知がない。従って、一瞥しただけで、この賞球の払出が、バックアップによる払出か、不正遊技による払出か、容易に判別できるので、不正遊技を確実に防止することができる。
【００７１】
次に、図８のタイミングチャートに基づき、電源断からの復帰処理について簡単に説明する。
【００７２】
電源断が発生してＡＣ２４Ｖ入力が断たれると、前記したように、賞球払出残数をメモリに記憶して保護する。即ち、先ず賞球ソレノイド１６３に適用される電源（ＤＣ１２Ｖ−Ａ）の電圧が、賞球ソレノイド１６３の吸引保持電圧以下、すなわち非励磁状態と同等となり、賞球払出が停止する。
【００７３】
次いで、賞球払出が停止してから、最後に払い出される払出球を検出した場合（賞球ソレノイド１６３が停止してから時間ｔ１後に払出球を検出したとき）、賞球払出残数から減算する。この処理を可能とするため、賞球払出済球検出スイッチ１６２の電源（ＤＣ１２Ｖ−Ｂ）と、払出制御基板３１の動作電源（ＤＣ５Ｖ）は、夫々の動作保証電圧を前記ｔ１より長い時間（ｔ３）維持させている（ｔ１＜ｔ３）。尚、時間ｔ３は、実験等により予め求めておき、かつ安全を見て決定すればよい。
【００７４】
次に、電源基板４１の第２電源断検出回路２２７が電源断を検出すると電源断信号を出力する。この電源断信号は端子２０４Ｊを介して払出制御基板３１のＩＣのＮＭＩ端子（図示せず）に入力される。この入力により、ＩＣが電源断を検出すると、最優先で電源断処理が実行される。
【００７５】
即ち、払出制御基板３１のＲＡＭに記憶されている賞球払出残数をメモリに記憶して保護する。その後、制御プログラムを無限ループによりリセット待ちとする。これにより、データを破壊したり、プログラムが暴走することを防止することができる。尚、リセットは払出制御基板３１の動作電源（ＤＣ５Ｖ）が所定値以下となった時点でかけられ、これにより制御系の動作は停止する。
【００７６】
その後、スイッチ用電源（ＤＣ１２Ｖ−Ｂ）も断となり、図８の左側に示すように全ての電源等がＯＦＦ状態になり、装置機能は完全に停止する。
【００７７】
そして、電源が復帰すると（図８の矢印Ｐ参照）夫々の電源が立ち上がるが、主制御基板２及び払出制御基板３１のリセット解除は、ＤＣ５Ｖ電源監視リセット回路の作用により、その制御基板内で使用する全ての電源（停電検出信号を使用する払出制御基板３１の場合は停電検出信号を含む）が通常状態に復帰してから行うようにしている（図８の矢印Ｑ以降、ここでは図８の矢印Ｒ参照）。
【００７８】
主制御基板２及び払出制御基板３１のリセットが解除されると、装置機能が回復して通常の遊技が可能になる。このとき、本発明は、電源断前に行っていた賞球払出を再開すると共に、この賞球払出がバックアップに基づく払出であることを報知手段、例えば、ランプ、音、画像等により遊技者及びホール従業員に報知する。
【００７９】
尚、大電力用電源（ＤＣ１２Ｖ−Ａ）が電源断となって賞球ソレノイド１６３が非励磁状態となったときから、賞球払出済球検出に要する最長時間（ｔ１）以上、賞球払出済球検出スイッチ１６２の電源が当該スイッチの動作保証電圧を維持していることを要件の１つとして挙げたが（ｔ１＜ｔ３）、これとは別に、大電力用電源（ＤＣ１２Ｖ−Ａ）が電源断となって賞球ソレノイド１６３が非励磁状態となったとき、賞球払出済球検出に要する最長時間（ｔ１）以上、払出制御基板３１の動作が可能であることも重要な要件となる（ｔ１＜ｔ２）。
【００８０】
また、スイッチ用、すなわち小電力電源（ＤＣ１２Ｖ−Ｂ）の保証電圧が、ＤＣ５Ｖよりも長い時間維持しているため、主制御基板２及び払出制御基板３１が５Ｖ電源監視リセット回路によりリセットされるまで、賞球払出済球の検出を始めとして正確なスイッチ入力を行うことが可能となる。
【００８１】
以上のようにして、停電等の予期せぬ電源断が生じた場合でも、正確に払出残数を記憶しておくことができ、電源復帰後はこの記憶した払出残数に基づいて賞球払出を継続できる。そして、このとき、本発明は、電源断前に行っていた賞球払出を再開すると共に、この賞球払出がバックアップに基づく払出であることを報知手段によって、例えば、ランプ、音、画像等により遊技者及びホール従業員に報知する。従って、本発明によれば、遊技者及びパチンコ店の双方に対して全く不利益を与えずに遊技を継続することができるばかりではなく、不正な賞球の払出を容易に発見することができ、不正遊技の防止に役立てることができる。
【００８２】
以上、本発明をパチンコ機１における賞球の払出について説明したが、賞球の払出ばかりではなく、カードユニット４３を併設した所謂ＣＲ機における玉貸に関しても、本発明は適用できる。即ち、ＣＲ機における玉貸は、パチンコ機１の賞球払出装置１６と同様の貸出払出制御装置１７を利用した同じ制御系であるので、玉貸中に電源断が発生した場合には、復旧後に貸玉を再開する。このとき、バックアップによる貸玉中であることが一目瞭然になるので、不正遊技を確実に防止することができる。
【００８３】
以上本発明を図面の実施形態について説明したが、本発明は上記した実施形態に限定されるものではなく、特許請求の範囲に記載した構成を変更しない限り適宜に実施できる。例えば、遊技機としてパチンコ機について説明したが、スロットマシン等、他の遊技機にも容易に適用可能である。
【００８４】
【発明の効果】
以上要するに本発明は、入賞球検出スイッチから入力された信号に基づいて賞球払出数コマンドの送信を行なう主制御部と、前記主制御部からの賞球払出数コマンドに応じて賞球払出装置の制御を行なう払出制御部と、前記賞球払出装置から賞球が払い出されたかを検出する賞球払出済球検出スイッチと、電源を供給しバックアップ手段を設けた電源部と、を備え、賞球払出済球検出スイッチの信号を主制御部及び払出制御部に入力し、払出制御部は、停電等の電源断時に前記バックアップ手段によりメモリに記憶された払出残数を前記電源の復帰まで記憶可能であり、電源断復帰時に前記払出残数に基づく賞球の払出を行ない、この払出に伴い賞球払出済検出スイッチが球を検出する毎に前記払出残数を減算し、この払出残数が０になるまで払出を行ない、主制御部は、電源断復帰時に前記払出残数に基づいて賞球の払出を行なうバックアップ処理が終了していないことを確認し、更に賞球払出済球検出スイッチの信号状態を監視して払出が行なわれていることを確認した場合に、賞球残数払出であることを外部に報知する制御を行ない、バックアップ処理が終了していない期間中であっても、入賞球検出スイッチが入賞球を検出すると、払出制御部へ賞球払出数コマンドを送信し、また、主制御部は、電源断復帰時に前記払出残数に基づいて賞球の払出を行なうバックアップ処理が終了していないことを確認し、最後に賞球払出数コマンドを送信してから所定時間経過した場合に、外部報知終了の制御を行なうと共に、前記電源断復帰時に前記払出残数に基づいて賞球の払出を行なう前記バックアップ処理が終了である旨の処理を行ない、前記主制御部による外部報知制御に基づき前記電源断復帰時に前記払出残数に基づいて賞球の払出を行なう前記バックアップ処理を実行中である旨を、報知する報知手段を設けたので、払出の最中に停電等の電源断が発生した場合に、払出のバックアップをできるばかりではなく、払出に際して、バックアップ処理による払出であることを、遊技者や店員に報知できる。従って、払出がバックアップによる払出か、不正遊技による払出か、容易に判別することができ、不正遊技を一瞥で発見でき、不正遊技を確実に防止することができる。
【図面の簡単な説明】
【図１】パチンコ機の概略正面図である。
【図２】パチンコ機の制御系の概略ブロック図である。
【図３】電源モジュールの概略ブロック図である。
【図４】賞球制御装置の説明図である。
【図５】電源断時のフローチャートである。
【図６】バックアップ処理のフローチャートである。
【図７】バックアップ処理のフローチャートである。
【図８】電源復帰時のタイミングチャートである。
【符号の説明】
１  パチンコ機
２  主制御基板
１１  図柄始動口
１２  図柄表示装置
１３  大入賞口
１４  スピーカ
１５  表示灯
１６  賞球払出装置
２１  入賞球検出スイッチ
３１  払出制御基板
３２  図柄表示制御基板
３３  音声制御基板
３４  ランプ制御基板
４１  電源基板
４２  中継基板
【図１】
0003777297.tif 000002
【図２】
0003777297.tif 000003
【図３】
0003777297.tif 000004
【図４】
0003777297.tif 000005
【図５】
0003777297.tif 000006
【図６】
0003777297.tif 000007
【図７】
0003777297.tif 000008
【図８】
0003777297.tif 000009